(57)【特許請求の範囲】
【請求項１】
認証対象者の顔部分に照明光を照射しつつ該認証対象者の顔画像を取得し、取得した入力顔画像をあらかじめ登録された登録顔画像と照合して顔認証を行う顔認証装置であって、
可視光及び赤外光の照明光を照射する照明ユニットと、
前記照明ユニットによる照明下で可視光顔画像及び赤外光顔画像をそれぞれ撮像する撮像手段と、
前記撮像手段により撮像された可視光顔画像及び赤外光顔画像に基づいて、前記撮像手段により撮像された撮像対象物が人物であるか否かを判定する判定手段と
を備えたことを特徴とする顔認証装置。
【請求項２】
前記判定手段は、前記可視光顔画像の顔部分がカラーで検知され、かつ、前記赤外光顔画像内に顔部分が検知された場合には、前記撮像対象物が人物であると判定することを特徴とする請求項１に記載の顔認証装置。
【請求項３】
前記判定手段は、前記可視光顔画像の顔部分がカラーで検知され、かつ、前記赤外光顔画像内に顔部分が検知された場合には、前記撮像対象物がカラー写真であると判定することを特徴とする請求項１又は２に記載の顔認証装置。
【請求項４】
前記判定手段は、前記可視光顔画像の顔部分が白黒で検知され、かつ、前記赤外光顔画像内に顔部分が検知された場合には、前記撮像対象物がモノクロ写真であると判定することを特徴とする請求項１、２又は３に記載の顔認証装置。
【請求項５】
認証対象者の顔部分に照明光を照射しつつ該認証対象者の顔画像を取得し、取得した入力顔画像をあらかじめ登録された登録顔画像と照合して顔認証を行う顔認証方法であって、
可視光及び赤外光の照明光を照射する照明光照射工程と、
前記照明ユニットによる照明下で可視光顔画像及び赤外光顔画像をそれぞれ撮像する撮像工程と、
前記撮像工程により撮像された可視光顔画像及び赤外光顔画像に基づいて、前記撮像工程により撮像された撮像対象物が人物であるか否かを判定する判定工程と
を含んだことを特徴とする顔認証方法。
【発明の詳細な説明】
【技術分野】
【０００１】
本発明は、認証対象者の顔部分に照明光を照射しつつ該認証対象者の顔画像を取得し、取得した入力顔画像をあらかじめ登録された登録顔画像と照合して顔認証を行う顔認証装置及び顔認証方法に関し、特に、認証対象者の顔画像を撮像する際に、この認証対象者に対して過度にまぶしい照明を照射するのではなく、認証対象者に適合した照明を照射して適正な顔画像を効率良く取得することができる顔認証装置及び顔認証方法に関する。
【背景技術】
【０００２】
従来、カメラで撮像した認証対象者の顔画像を登録データと照合して、この認証対象者が登録者であるか否かを認証処理する顔認証装置が知られている。この種の顔認証装置では、天井照明や太陽光等の照明変動により認証精度が低下するため、この顔認証装置自体に照明器具が設けられることが多い。
【０００３】
例えば、特許文献１には、撮像カメラ１２と、テンキー１３と、カードリーダ１４とを一体に備えた照合ユニット１５を扉近傍の顔高さ壁面位置に設置し、その壁面上部に撮像条件を変えるための照明ライト１６とスピーカ１７を設置するよう構成している。
【０００４】
また、特許文献２には、認証対象者の顔画像を撮像するカメラ１０１の右上方あるいは左上方から認証対象者の顔に向けて一定の照度で光を照射する第１の照明部１０２と、このカメラ１０１の下方から認証対象者の顔に向けて一定の照度で光を照射する第２の照明部１０３とを設けるよう構成している。
【０００５】
このように、かかる特許文献１及び２のものは、天井照明や太陽光等の照明変動を除外するために、照明ライト１６並びに第１の照明部１０２及び第２の照明部１０３をそれぞれ設けており、これらの照明装置によって認証対象者の顔部分に不必要な影が生じる状況等を避けることができる。
【０００６】
【特許文献１】特開平１１−３１６８３６号公報
【特許文献２】特開２００１−３３８２９６号公報
【発明の開示】
【発明が解決しようとする課題】
【０００７】
しかしながら、上記特許文献１及び２のように、顔認証装置に専用の照明装置を設けて天井照明や太陽光等の照明変動を除外するためには、認証対象者の顔部分に対して比較的強い照度の光を照射する必要が生じるため、認証対象者がこの光をまぶしく感じてしまうという問題が生じる。
【０００８】
加えて、このように認証対象者がまぶしく感じる光を照明装置から照射すると、認証対象者の表情が変動してしまい、結果的に認証精度の劣化につながってしまうという問題も生ずる。特に、照明をまぶしく感じるか否かは認証対象者の主観に左右される内容であり、照射すべき照明についても認証対象者の肌特性によって変動するものであるので、いかにして認証対象者に適合した照明を照射するかが問題となる。
【０００９】
これらのことから、認証対象者の顔画像を撮像する際に、この認証対象者に対して過度にまぶしい照明を照射するのではなく、認証対象者に適合した照明を照射していかに適正な顔画像を取得するかが重要な課題となっている。
【００１０】
この発明は、上記課題（問題点）に鑑みてなされたものであり、認証対象者の顔画像を撮像する際に、この認証対象者に対して過度にまぶしい照明を照射するのではなく、認証対象者に適合した照明を照射して適正な顔画像を効率良く取得することができる顔認証装置及び顔認証方法を提供することを目的とする。
【課題を解決するための手段】
【００１１】
上述した課題を解決するため、本発明は、認証対象者の顔部分に照明光を照射しつつ該認証対象者の顔画像を取得し、取得した入力顔画像をあらかじめ登録された登録顔画像と照合して顔認証を行う顔認証装置であって、可視光及び赤外光の照明光を照射する照明ユニットと、前記照明ユニットによる照明下で可視光顔画像及び赤外光顔画像をそれぞれ撮像する撮像手段と、前記撮像手段により撮像された可視光顔画像及び赤外光顔画像に基づいて、前記撮像手段により撮像された撮像対象物が人物であるか否かを判定する判定手段とを備えたことを特徴とする。
【００１２】
また、本発明は、上記発明において、前記判定手段は、前記可視光顔画像の顔部分がカラーで検知され、かつ、前記赤外光顔画像内に顔部分が検知された場合には、前記撮像対象物が人物であると判定することを特徴とする。
【００１３】
また、本発明は、上記発明において、前記判定手段は、前記可視光顔画像の顔部分がカラーで検知され、かつ、前記赤外光顔画像内に顔部分が検知された場合には、前記撮像対象物がカラー写真であると判定することを特徴とする。
【００１４】
また、本発明は、上記発明において、前記判定手段は、前記可視光顔画像の顔部分が白黒で検知され、かつ、前記赤外光顔画像内に顔部分が検知された場合には、前記撮像対象物がモノクロ写真であると判定することを特徴とする。
【００１５】
また、本発明は、上記発明において、認証対象者の顔部分に照明光を照射しつつ該認証対象者の顔画像を取得し、取得した入力顔画像をあらかじめ登録された登録顔画像と照合して顔認証を行う顔認証方法であって、可視光及び赤外光の照明光を照射する照明光照射工程と、前記照明ユニットによる照明下で可視光顔画像及び赤外光顔画像をそれぞれ撮像する撮像工程と、前記撮像工程により撮像された可視光顔画像及び赤外光顔画像に基づいて、前記撮像工程により撮像された撮像対象物が人物であるか否かを判定する判定工程とを含んだことを特徴とする。
【発明の効果】
【００１９】
本発明によれば、可視光及び赤外光の照明光を照射し、この照明下で可視光顔画像及び赤外光顔画像をそれぞれ撮像し、撮像した可視光顔画像及び赤外光顔画像に基づいて撮像対象物が人物であるか否かを判定するよう構成したので、カラー写真又はモノクロ写真等を用いたなりすましを防止することができる。
【発明を実施するための最良の形態】
【００２５】
以下に添付図面を参照して、本発明に係る顔認証装置の好適な実施例を詳細に説明する。なお、ここではＬＥＤを内在する照明ユニットを用いた場合を示すこととする。
【実施例１】
【００２６】
まず、本実施例１に係る顔認証装置１０の外観構成について説明する。図１は、本実施例１に係る顔認証装置１０の外観構成を示す図である。同図に示すように、この顔認証装置１０の前面には、カメラ１１、表示部１２、ＩＣカードリーダ１３及び照明ユニット１４が配設されている。
【００２７】
カメラ１１は、ＣＣＤ（Charge Coupled Devices）等により形成されるカラー撮像装置であり、このカメラ１１により認証対象者の顔画像を撮像したならば、Ｒプレーン（赤色プレーン）の顔画像データ、Ｇプレーン（緑色プレーン）の顔画像データ、Ｂプレーン（青色プレーン）の顔画像データ及びＩＲプレーン（赤外プレーン）の顔画像データが取得される。なお、Ｂプレーンの顔画像データは認証処理には使用されない。表示部１２は、操作ガイダンス並びに認証結果を表示する液晶パネル等の表示デバイスである。
【００２８】
ＩＣカードリーダ１３は、認証対象者が保持するＩＣカードからデータを読み取るためのカードリーダである。認証対象者がこのＩＣカードリーダ１３にＩＣカードをかざすと、ＩＣカードからデータが読み取られる。ここで、本実施例１では、このＩＣカード内に登録顔画像データを格納することとしているので、ＩＣカードリーダ１３がＩＣカードから読み取った登録顔画像データが、入力顔画像データの比較対象とされることになる。
【００２９】
照明ユニット１４は、認証対象者にまぶしさを感じさせる波長の光を低減した照明光を照射する本発明の特徴をなすユニットであり、具体的には赤色ＬＥＤ、緑色ＬＥＤ及び赤外ＬＥＤにより形成されるＲＧＩＲ照明部１４ｅを有する。この照明ユニット１４は、人感センサが人の接近を検知した際に照明部を発光制御し、認証処理を終えたならばこの照明部を消灯制御する。
【００３０】
このように、基本３原色のうちの青色を除外した理由は、同じ光量でも青色や紫色のような短い波長（約440nm〜約380nm）の光を人間がまぶしく感じるためである。つまり、赤色や緑色の比較的長い波長（約780nm〜約500nm）の光のみを利用することとしたのである。なお。本発明で除外した青色の光については、もともと感度が低く照合率への影響が比較的小さいものである。
【００３１】
一方、赤外光を利用することとしたのは、人の目に見えない赤外光で青色を除外した光量を補うためである。また、顔認証装置１０による顔認証を行う際に、不正な第三者がカメラ１１の前にモノクロ写真やカラー写真を置いて他人になりすます不正が考えられるが、赤外光と可視光を併用することにより、かかる写真を用いたなりすましを防止することができる。なお、その詳細な説明については後述する。
【００３２】
次に、図１に示した顔認証装置１０の内部構成について説明する。図２は、図１に示した顔認証装置１０の内部構成を示す機能ブロック図である。同図に示すように、この顔認証装置１０は、カメラ１１、表示部１２、ＩＣカードリーダ１３、照明ユニット１４、顔照合処理部１５及び記憶部１６を有する。このカメラ１１、表示部１２及びＩＣカードリーダ１３については、すでに説明したのでここではその詳細な説明を省略する。
【００３３】
照明ユニット１４は、認証対象者が撮像位置に所在したことを検知する人感センサ１４ａと、赤色ＬＥＤの照度等を制御するＲ照明制御部１４ｂと、緑色ＬＥＤの照度等を制御するＧ照明制御部１４ｃと、赤外ＬＥＤの照度等を制御するＩＲ照明制御部１４ｄと、赤色ＬＥＤ、緑色ＬＥＤ及び赤外ＬＥＤにより形成されるＲＧＩＲ照明部１４ｅとを有する。図３は、このＲＧＩＲ照明部１４ｅの一例を示す図であり、同図に示すように、このＲＧＩＲ照明部１４ｅは、赤色ＬＥＤ、緑色ＬＥＤ及び赤外ＬＥＤ（ＩＲＬＥＤ）を配置した構成となる。
【００３４】
この照明ユニット１４では、人感センサ１４ａにより認証対象者が撮像位置に所在したことを検知したならば、この人感センサ１４ａがＲ照明制御部１４ｂ、Ｇ照明制御部１４ｃ及びＩＲ照明制御部１４ｄに駆動指示を行い、この駆動指示を受けたＲ照明制御部１４ｂ、Ｇ照明制御部１４ｃ及びＩＲ照明制御部１４ｄがＲＧＩＲ照明部１４ｅを形成する各ＬＥＤを点灯制御する。なお、図３に示した各ＬＥＤの配置や数は一例であり、適宜変更可能である。
【００３５】
顔照合処理部１５は、入力顔画像データと登録顔画像データを基本色成分ごとに照合処理し、各色成分ごとの照合結果に基づいて顔認証処理を行う処理部である。具体的には、Ｒプレーン、Ｇプレーン、ＩＲプレーンの各々について入力顔画像データと登録顔画像データを照合処理し、各照合結果に基づいて両者が同一人物であるか否かを判定する。なお、かかる認証処理には特徴量を用いるもの等様々な従来技術を用いることができる。
【００３６】
記憶部１６は、登録顔画像データ１６ａを一時記憶するＲＡＭやフラッシュメモリ等の記憶デバイスである。本実施例１では、認証対象者が保持するＩＣカード内にＲプレーン、Ｇプレーン及びＩＲプレーンの登録顔画像データ１６ａをあらかじめ記憶しておき、顔認証を行う際に、ＩＣカードリーダ１４がこのＩＣカードから登録顔画像データ１６ａを読み出して記憶部１６に一時記憶し、この記憶部１６に記憶した登録顔画像データ１６ａを顔認証処理部１５が読み込むこととしている。
【００３７】
次に、図１に示した顔認証装置１０の処理手順について説明する。図４は、図１に示した顔認証装置１０の処理手順を示すフローチャートである。同図に示すように、この顔認証装置１０は、人感センサ１４ａが認証対象者が所定の位置に所在していることを検知したならば（ステップＳ１０１肯定）、ＲＧＩＲ照明部１４ｅを点灯させる（ステップＳ１０２）。
【００３８】
その後、ＩＣカードリーダ１３がＩＣカードから登録顔画像データ１６ａを読み出し（ステップＳ１０３）、読み出した登録顔画像データ１６ａを記憶部１６に一時記憶する（ステップＳ１０４）。
【００３９】
そして、照明ユニット１４による照明下でカメラ１１により認証対象者の顔画像を撮像する（ステップＳ１０５）。このカメラ１１で撮像すると、Ｒプレーン、Ｇプレーン及びＩＲプレーンの入力顔画像データが取得できることになる。なお、かかる顔画像の撮像は、ステップＳ１０３〜Ｓ１０４の登録顔画像データ１６ａの記憶よりも先に行っても良い。
【００４０】
その後、Ｒプレーンの入力顔画像データとＲプレーンの登録顔画像データ１６ａを照合するＲ顔画像照合処理、Ｇプレーンの入力顔画像データとＧプレーンの登録顔画像データ１６ａを照合するＧ顔画像照合処理、ＩＲプレーンの入力顔画像データとＩＲプレーンの登録顔画像データ１６ａを照合するＩＲ顔画像照合処理を行い（ステップＳ１０６〜Ｓ１０８）、これらの照合結果に基づいて総合判定処理を行う（ステップＳ１０９）。
【００４１】
そして、総合判定された認証結果を表示部１２に表示するとともに（ステップＳ１１０）、照明の消灯制御を行って（ステップＳ１１１）一連の認証処理を終了する。ここでは、認証処理結果を表示する場合を示したが、実際にはこの認証処理結果に応じて扉の開閉制御等を行うことになる。
【００４２】
上述してきたように、本実施例１では、照明ユニット１４から認証対象者にまぶしさを感じさせる波長の光を低減した照明光を照射し、この照明下でカメラ１１により認証対象者の基本色成分ごとの入力顔画像データを撮像し、顔照合処理部１５において入力顔画像データを色成分ごとに登録顔画像データ１６ａと照合して、各色成分ごとの照合結果に基づいて顔認証処理を行うよう構成したので、認証対象者の顔画像を撮像する際に、この認証対象者に対して過度にまぶしい照明を照射するのではなく、認証対象者に適合した照明を照射して適正な顔画像データを効率良く取得することができる。
【００４３】
なお、本実施例１では、登録顔画像データ１６ａをＩＣカードに記憶する場合を示したが、本発明はこれに限定されるものではなく、登録顔画像データ１６ａをＩＣカードのカードＩＤに対応付けて顔認証装置１０に記憶しておき、カードＩＤを受け付けた際に、このカードＩＤに対応する登録顔画像データ１６ａを特定するよう構成することもできる。
【００４４】
また、本実施例では、照明ユニット１４にＲＧＩＲ照明部１４ｅを設けた場合を示したが、本発明はこれに限定されるものではなく、赤外ＬＥＤを除外して赤色ＬＥＤ及び緑色ＬＥＤで形成させるＲＧ照明部を設けることもできる。かかる場合には、赤外光と可視光を併用した場合に可能となるなりすまし防止効果は得られないが、認証対象者にまぶしく感じさせる状況を回避することが可能となる。
【実施例２】
【００４５】
ところで、上記実施例１では、認証対象者にまぶしさを感じさせないことを主眼としたが、まぶしさを感じる程度は人の主観に依存するものである。加えて、顔画像を撮像する場合に認証対象者の肌特性等を考慮した照明光を照射することも望まれる。このため、本実施例２では、認証対象者の特性に適合する照明光を照射する場合を示すこととする。なお、顔認証装置の外観構成については図１に示すものと同様のものとなるので、ここではその説明を省略する。
【００４６】
図５は、本実施例２に係る顔認証装置２０の内部構成を示す機能ブロック図である。同図に示すように、この顔認証装置２０は、この顔認証装置２０は、カメラ１１、表示部１２、ＩＣカードリーダ１３、顔照合処理部１５、記憶部１６及び照明ユニット２１を有する。
【００４７】
ここで、このカメラ１１及び表示部１２は、実施例１で示したものと同様のものであり、ＩＣカードリーダ１３についても実施例１のものとほぼ同様のものである。ただし、本実施例２では、認証対象者に適合する照明条件データを登録顔画像データとともにＩＣカードに記憶することとしているので、このＩＣカードリーダ１３は、ＩＣカードから照明条件データを読み出して照明ユニット２１の照明コントローラ２１ａに出力する機能を有する。
【００４８】
顔照合処理部１５は、記憶部１６に記憶した登録顔画像データ１６ａを参照しつつ基本色ごとに入力顔画像データと照合処理を行う点で実施例１のものと同様であるが、ここではＢプレーン（青色プレーン）についても処理対象に含めている点が相違する。青色が顔照合に与える影響は少ないわけであるが、このＢプレーンについてもここでは照合処理を行っている。本実施例２では、照度が低く設定される可能性が大きいものの青色ＬＥＤから光を照射しているため、Ｂプレーンの顔認証処理を行った方が顔認証精度の向上を図り得るからである。
【００４９】
照明ユニット２１は、認証対象者の特性に適合する照明光を照射するユニットであり、具体的には赤色ＬＥＤ、緑色ＬＥＤ、青色ＬＥＤ及び赤外ＬＥＤにより形成されるＲＧＢＩＲ照明部２１ｆを有する。この照明ユニット１４は、ＩＣカードに記憶された認証対象者に適合する照明条件データを受け取り、受け取った照明条件データに適合する照明光を照射する。かかる照明条件データには、赤色、緑色、青色、赤外の照度等が含まれ、認証対象者がまぶしいと感じる特性並びに肌特性等を考慮して登録顔画像データ１６ａを登録する際に決定され、ＩＣカードに登録顔画像データ１６ａとともに格納される。通常は、青色の光がまぶしさを与える大きな要因となるため、この青色の照度を低減するとともに照度不足を補うだけの赤外光の照度を割りました照明条件データが生成される。
【００５０】
具体的には、この照明ユニット２１は、各色の照明制御部２１ｂ〜２１ｅを制御する照明コントローラ２１ａと、赤色ＬＥＤの照度等を制御するＲ照明制御部２１ｂと、緑色ＬＥＤの照度等を制御するＧ照明制御部２１ｃと、青ＬＥＤの照度等を制御するＢ照明制御部２１ｄと、赤外ＬＥＤの照度等を制御するＩＲ照明制御部２１ｅと、赤色ＬＥＤ、緑色ＬＥＤ、青色ＬＥＤ及び赤外ＬＥＤにより形成されるＲＧＢＩＲ照明部２１ｆとを有する。図６は、このＲＧＢＩＲ照明部２１ｆの一例を示す図であり、同図に示すように、このＲＧＢＩＲ照明部２１ｆは、赤色ＬＥＤ、緑色ＬＥＤ、青色ＬＥＤ及び赤外ＬＥＤ（ＩＲＬＥＤ）を配置した構成となる。なお、図６に示した各ＬＥＤの配置や数は一例であり、適宜変更可能である。
【００５１】
照明コントローラ２１ａは、ＩＣカードリーダ１３から照明条件データを受け取り、この照明条件データに対応する照明条件をＲ照明制御部２１ｂ、Ｇ照明制御部２１ｃ、Ｂ照明制御部２１ｄ及びＩＲ照明制御部２１ｅに通知するコントローラである。
【００５２】
次に、図５に示した顔認証装置２０の処理手順について説明する。図７は、図５に示した顔認証装置２０の処理手順を示すフローチャートである。同図に示すように、この顔認証装置２０は、ＩＣカードリーダ１３がＩＣカードから照明条件データ及び登録顔画像データ１６ａを読み出し（ステップＳ２０１）、読み出した照明条件データを受け取った照明コントローラ２１ａの制御下に認証対象者に適合した最適照明制御を行う（ステップＳ２０２）。
【００５３】
また、読み出した登録顔画像データ１６ａを記憶部１６に一時記憶した後（ステップＳ２０３）、照明ユニット２１による照明下でカメラ１１により認証対象者の顔画像を撮像する（ステップＳ２０４）。このカメラ１１で撮像すると、Ｒプレーン、Ｇプレーン、Ｂプレーン及びＩＲプレーンの入力顔画像データが取得できることになる。なお、かかる顔画像の撮像は、ステップＳ２０３の登録顔画像データ１６ａの記憶よりも先に行っても良い。
【００５４】
その後、Ｒプレーンの入力顔画像データとＲプレーンの登録顔画像データ１６ａを照合するＲ顔画像照合処理、Ｇプレーンの入力顔画像データとＧプレーンの登録顔画像データ１６ａを照合するＧ顔画像照合処理、Ｂプレーンの入力顔画像データとＧプレーンの登録顔画像データ１６ａを照合するＢ顔画像照合処理、ＩＲプレーンの入力顔画像データとＩＲプレーンの登録顔画像データ１６ａを照合するＩＲ顔画像照合処理を行い（ステップＳ２０５〜Ｓ２０８）、これらの照合結果に基づいて総合判定処理を行う（ステップＳ２０９）。
【００５５】
そして、総合判定された認証結果を表示部１２に表示して（ステップＳ２１１）、一連の認証処理を終了する。なお、照明の消灯制御は顔画像を撮像した後の適宜なタイミングで行われる。また、ここでは認証処理結果を表示する場合を示したが、実際にはこの認証処理結果に応じて扉の開閉制御等を行うことになる。
【００５６】
上述してきたように、本実施例２では、照明ユニット２１から認証対象者に適合した照明光を照射し、この照明下でカメラ１１により認証対象者の基本色成分ごとの入力顔画像データを撮像し、顔照合処理部１５において入力顔画像データを色成分ごとに登録顔画像データ１６ａと照合して、各色成分ごとの照合結果に基づいて顔認証処理を行うよう構成したので、認証対象者の肌特性やまぶしさを感じる主観に適合した照明光を照射して適正な顔画像データを効率良く取得することができる。
【００５７】
なお、本実施例２では、照明条件データ及び登録顔画像データ１６ａをＩＣカードに記憶する場合を示したが、本発明はこれに限定されるものではなく、照明条件データ及び登録顔画像データ１６ａをＩＣカードのカードＩＤに対応付けて顔認証装置１０に記憶しておき、カードＩＤを受け付けた際に、このカードＩＤに対応する照明条件データ及び登録顔画像データ１６ａを特定するよう構成することもできる。
【００５８】
また、本実施例では、照明ユニット１４にＲＧＢＩＲ照明部２１ｆを設けた場合を示したが、本発明はこれに限定されるものではなく、赤外ＬＥＤを除外して赤色ＬＥＤ、緑色ＬＥＤ及び青色ＬＥＤで形成させるＲＧＢ照明部を設けることもできる。かかる場合には、赤外光と可視光を併用した場合に可能となるなりすまし防止効果は得られないが、認証対象者にまぶしく感じさせる状況を回避することが可能となる。
【００５９】
ところで、上記実施例１及び２では、可視光（ＲＧＢ）以外に赤外光（ＩＲ）を併用することとしたが、両者を併用すると不正者によるなりすましを防止できる効果を奏する。図８は、赤外光と可視光を併用した場合の効果を説明するための説明図である。同図に示すように、人間をカラーの可視光で撮像するとカラー画像を取得でき、人間を赤外光で撮像するとモノクロ画像が得られる。このため、これらカラー画像とモノクロ画像がそれぞれ得られた場合には、人を撮像したものと判定できる。
【００６０】
これに対して、不正者がカメラ１１の前にモノクロ写真を置いて他者になりすまそうとしたときには、可視光と赤外光の撮像結果がともにモノクロ画像となってしまう。このため、両方ともモノクロ画像が得られた場合には、モノクロ写真を撮像したものと判定できる。
【００６１】
さらに、不正者がカメラ１１の前にカラー写真を置いて他者になりすまそうとしたときには、可視光ではカラー画像が撮像されるが、赤外光ではほとんど写らない。なぜならば、トナーが赤外光を吸収しないからである。このため、可視光ではカラー画像が得られるが赤外光で写らない場合には、カラー写真を撮像したものと判定できる。
【産業上の利用可能性】
【００６２】
本発明にかかる顔認証装置は、認証対象者の顔画像を撮像する際に、この認証対象者に対して過度にまぶしい照明を照射するのではなく、認証対象者に適合した照明を照射して適正な顔画像を効率良く取得する場合に有用である。
【図面の簡単な説明】
【００６３】
【図１】本実施例１に係る顔認証装置の外観構成を示す図である。
【図２】図１に示した顔認証装置の内部構成を示す機能ブロック図である。
【図３】図２に示したＲＧＩＲ照明部の一例を示す図である。
【図４】図１に示した顔認証装置の処理手順を示すフローチャートである。
【図５】本実施例２に係る顔認証装置の内部構成を示す機能ブロック図である。
【図６】図５に示したＲＧＢＩＲ照明部の一例を示す図である。
【図７】図５に示した顔認証装置の処理手順を示すフローチャートである。
【図８】赤外光と可視光を併用した場合の効果を説明するための説明図である。
【符号の説明】
【００６４】
１０  顔認証装置
１１  カメラ
１２  表示部
１３  ＩＣカードリーダ
１４  照明ユニット
１４ａ  人感センサ
１４ｂ  Ｒ照明制御部
１４ｃ  Ｇ照明制御部
１４ｄ  ＩＲ照明制御部
１４ｅ  ＲＧＩＲ照明部
１５  顔照合処理部
１６  記憶部
１６ａ  登録顔画像データ
２０  顔認証装置
２１  照明ユニット
２１ａ  照明コントローラ
２１ｂ  Ｒ照明制御部
２１ｃ  Ｇ照明制御部
２１ｄ  Ｂ照明制御部
２１ｅ  ＩＲ照明制御部
２１ｆ  ＲＧＢＩＲ照明部
【図１】
0004708879.tif 000002
【図２】
0004708879.tif 000003
【図３】
0004708879.tif 000004
【図４】
0004708879.tif 000005
【図５】
0004708879.tif 000006
【図６】
0004708879.tif 000007
【図７】
0004708879.tif 000008
【図８】
0004708879.tif 000009